(57)【要約】【課題】ガイドプレートの両端部をハウジングの両側に形成された凹部に容易に挿入することができ、ガイドプレートの両端部又は凹部に形成されたロック用突起を破損することがなく、部材の寸法精度が低くても、ガイドプレートの本体部が備える弾性によって、装着されたガイドプレートにがたつきが発生せず、ガイドプレートが外れて離脱したりすることがなく、端子を確実にガイドすることができるようにする。【解決手段】ハウジングと、該ハウジングから突出し、基板に接続される複数の端子と、前記ハウジングに取付けられ、少なくとも一部の端子をガイドするガイドプレートとを有する基板用コネクタであって、前記ガイドプレートは、蛇行状の形状を備える本体部、及び、該本体部の両側に接続され、前記ハウジングの両側に配設されたガイドプレート取付部に取付けられる端部を備える。【選択図】図８
2008117591.tif 000002
【特許請求の範囲】
【請求項１】
（ａ）ハウジング（１１）と、該ハウジング（１１）から突出し、基板に接続される複数の端子（５０）と、前記ハウジング（１１）に取付けられ、少なくとも一部の端子（５０）をガイドするガイドプレート（４１）とを有する基板用コネクタ（１）であって、
（ｂ）前記ガイドプレート（４１）は、蛇行状の形状を備える本体部（４２）、及び、該本体部（４２）の両側に接続され、前記ハウジング（１１）の両側に配設されたガイドプレート取付部（２５）に取付けられる端部（４３）を備えることを特徴とする基板用コネクタ（１）。
【請求項２】
（ａ）前記端子（５０）は、ハウジング（１１）に装着される本体部、該本体部の前端に接続され、相手側端子と接触する接触部（５０ａ）、及び、前記本体部の後端に屈曲して接続され、下端が基板に接続される脚部（５０ｂ）を備え、
（ｂ）前記ガイドプレート（４１）は、少なくとも一部の端子（５０）の脚部（５０ｂ）を保持するガイド溝（４５）を備える請求項１に記載の基板用コネクタ（１）。
【請求項３】
前記ガイド溝（４５）は、端子（５０）が保持される底部（４９）を備え、ガイドプレート（４１）がハウジング（１１）に取付けられていない状態で、端子（５０）をハウジング（１１）に装着したときの前記脚部（５０ｂ）の位置よりも、前記底部（４９）の位置が後方に備えられている請求項２に記載の基板用コネクタ（１）。
【請求項４】
（ａ）前記ガイドプレート取付部（２５）は、挿入溝（２６）及びロック用突起（２７）を備え、
（ｂ）前記ガイドプレート（４１）の端部（４３）は、前記挿入溝（２６）に挿入される外側端（４３ａ）、及び、前記端部（４３）から外方に突出し、前記ロック用突起（２７）によってロックされる被ロック部（４４）を備える請求項１に記載の基板用コネクタ（１）。
【請求項５】
前記ガイドプレート（４１）をハウジング（１１）に取付ける際に、前記被ロック部（４４）の頂部はロック用突起（２７）の頂部を乗越えて移動する請求項４に記載の基板用コネクタ（１）。
【請求項６】
前記ガイドプレート（４１）の両側の外側端（４３ａ）同士の距離は、初期状態において、両側のガイドプレート取付部（２５）の挿入溝（２６）の底面（２６ａ）同士の距離よりも長く設定される請求項４に記載の基板用コネクタ（１）。
【請求項７】
（ａ）前記ガイドプレート（４１）の本体部（４２）は、前面に交互に並ぶ前側凸部（４６Ｆ）及び前側凹部（４７Ｆ）、並びに、後面に交互に並ぶ後側凸部（４６Ｒ）及び後側凹部（４７Ｒ）を備え、
（ｂ）前記前側凸部（４６Ｆ）と後側凹部（４７Ｒ）とが対向し、前側凹部（４７Ｆ）と後側凸部（４６Ｒ）とが対向するように配列されている請求項１に記載の基板用コネクタ（１）。
【請求項８】
（ａ）前記端子（５０）は、基板用コネクタ（１）の幅方向に千鳥状となるように互いに隣接して配列される第１端子（５１）及び第２端子（５２）を含み、
（ｂ）前記ガイドプレート（４１）のガイド溝（４５）は、前記第１端子（５１）の第１脚部（５１ｂ）を後方において保持する第１ガイド溝（４５Ｒ）、及び、前記第２端子（５２）の第２脚部（５２ｂ）を後方において保持する第２ガイド溝（４５Ｆ）を含む請求項２に記載の基板用コネクタ（１）。
【発明の詳細な説明】
【技術分野】
【０００１】
本発明は、基板用コネクタに関するものである。
【背景技術】
【０００２】
従来、プリント回路基板等の基板に実装され、他の電気回路等と接続するために、基板用コネクタが使用されている。このような基板用コネクタは、コネクタ本体の後方に突出する複数のＬ字状端子、及び、該端子を案内するガイドプレートを備える（例えば、特許文献１参照。）。
【０００３】
図１８は従来の基板用コネクタの分解図である。
【０００４】
図に示されるように、基板用コネクタは、金属等の導電性材料から成る第１端子８０１及び第２端子８０２と、合成樹脂等の絶縁性材料から成り、前記第１端子８０１及び第２端子８０２を支持する端子保持部材８０３とを有する。なお、前記第１端子８０１及び第２端子８０２は、複数本ずつ並列に配列された状態で端子保持部材８０３に取付けられる。また、第１端子８０１及び第２端子８０２が取付けられた端子保持部材８０３の周囲は、図示されない箱状のコネクタハウジングで覆われる。なお、前記基板用コネクタは、いわゆるレセプタクルコネクタであり、図示されないケーブルの先端に接続された相手側コネクタが嵌（かん）合される。
【０００５】
また、第１端子８０１及び第２端子８０２の各々は、端子保持部材８０３から後方に向けて突出し、全体としてほぼ直角に屈曲され、先端が下向きとなるようなＬ字状端子である。なお、下向き部分の最下端は、図示されない基板の表面に実装するために、基板表面と平行になるように曲げられて、はんだテール部となっている。そして、該はんだテール部が基板表面に形成された接続パッド上にはんだ付されて実装される。
【０００６】
前記端子保持部材８０３は、取付部８０４及び該取付部８０４から前方に延出する板状の延出部８０５を有し、第１端子８０１及び第２端子８０２の水平部は前記延出部８０５の下面及び上面に沿うように取付けられる。そして、前記取付部８０４には、第１端子８０１の水平部が挿入される第１端子挿入口８１１、及び、第２端子８０２の水平部が挿入される第２端子挿入口８１２が、各々、複数ずつ並んで形成されている。
【０００７】
取付部８０４に取付けられた状態において、第１端子８０１の水平部は第２端子８０２の水平部より下方に位置し、第１端子８０１の垂直部は第２端子８０２の垂直部より前方に位置する。そのため、該第２端子８０２の垂直部は、第１端子８０１の垂直部よりも長く形成されているので、振動等の外力や熱応力の影響を受けて変位しやすいと考えられる。そこで、前記第２端子８０２の垂直部の変位を防止するために、ガイドプレート８１５が取付部８０４に装着される。
【０００８】
前記ガイドプレート８１５は、各第２端子８０２の垂直部が挿入される位置決め溝８１６を複数備える板状の部材であり、両端が取付部８０４に形成された第１案内溝８１７及び第２案内溝８１８内に収容されてロックされる。これにより、第２端子８０２の垂直部の変位は、確実に防止され、隣接する第２端子８０２の垂直部同士が接触したり、接続パッド上にはんだ付されたはんだテール部に力が加わって、接続パッドから離脱したりすることがない。
【特許文献１】特開２００６−１４７３７２号公報
【発明の開示】
【発明が解決しようとする課題】
【０００９】
しかしながら、前記従来の基板用コネクタにおいては、ガイドプレート８１５の取付部８０４への装着が困難であり、作業性が低かった。また、ガイドプレート８１５を取付部８０４に装着する際に部材の一部が破損したり、ガイドプレート８１５が取付部８０４に確実に装着されず、ガイドプレート８１５にがたつきが発生したり、ガイドプレート８１５が取付部８０４から離脱してしまうことがあった。
【００１０】
例えば、ガイドプレート８１５の両端をロックするために、第１案内溝８１７及び第２案内溝８１８内にロック用突起を形成することが考えられる。この場合、ロックを確実にするためにロック用突起の突出量を大きく設定すると、ガイドプレート８１５の両端を第１案内溝８１７及び第２案内溝８１８内に挿入する際に大きな力を付与する必要があり、作業性が低下してしまう。また、大きな力を付与してガイドプレート８１５の両端を第１案内溝８１７及び第２案内溝８１８内に挿入すると、ロック用突起やガイドプレートの両端等の部材が摩滅したり破損したりしてしまうことがある。さらに、ガイドプレート８１５の両端間の長さや第１案内溝８１７及び第２案内溝８１８の深さの誤差が大きいと、ガイドプレート８１５を取付部８０４へ装着する際により大きな力を付与する必要が生じたり、取付部８０４へ装着されたガイドプレート８１５にがたつきが発生したり、取付部８０４からガイドプレート８１５が外れて離脱したりしてしまう。
【００１１】
本発明は、前記従来の基板用コネクタの問題点を解決して、ガイドプレートの本体部を蛇行状に形成してガイドプレートの両端部の位置関係を弾性的に変位可能とすることによって、ガイドプレートをハウジングに装着する際に、ガイドプレートの両端部をハウジングの両側に形成された凹部に容易に挿入することができ、ガイドプレートの両端部又は凹部に形成されたロック用突起を破損することがなく、部材の寸法精度が低くても、ガイドプレートの本体部が備える弾性によって、装着されたガイドプレートにがたつきが発生せず、ガイドプレートが外れて離脱したりすることがなく、端子を確実にガイドすることができる基板用コネクタを提供することを目的とする。
【課題を解決するための手段】
【００１２】
そのために、本発明の基板用コネクタにおいては、ハウジングと、該ハウジングから突出し、基板に接続される複数の端子と、前記ハウジングに取付けられ、少なくとも一部の端子をガイドするガイドプレートとを有する基板用コネクタであって、前記ガイドプレートは、蛇行状の形状を備える本体部、及び、該本体部の両側に接続され、前記ハウジングの両側に配設されたガイドプレート取付部に取付けられる端部を備える。
【００１３】
本発明の他の基板用コネクタにおいては、さらに、前記端子は、ハウジングに装着される本体部、該本体部の前端に接続され、相手側端子と接触する接触部、及び、前記本体部の後端に屈曲して接続され、下端が基板に接続される脚部を備え、前記ガイドプレートは、少なくとも一部の端子の脚部を保持するガイド溝を備える。
【００１４】
本発明の更に他の基板用コネクタにおいては、さらに、前記ガイド溝は、端子が保持される底部を備え、ガイドプレートがハウジングに取付けられていない状態で、端子をハウジングに装着したときの前記脚部の位置よりも、前記底部の位置が後方に備えられている。
【００１５】
本発明の更に他の基板用コネクタにおいては、さらに、前記ガイドプレート取付部は、挿入溝及びロック用突起を備え、前記ガイドプレートの端部は、前記挿入溝に挿入される外側端、及び、前記端部から外方に突出し、前記ロック用突起によってロックされる被ロック部を備える。
【００１６】
本発明の更に他の基板用コネクタにおいては、さらに、前記ガイドプレートをハウジングに取付ける際に、前記被ロック部の頂部はロック用突起の頂部を乗越えて移動する。
【００１７】
本発明の更に他の基板用コネクタにおいては、さらに、前記ガイドプレートの両側の外側端同士の距離は、初期状態において、両側のガイドプレート取付部の挿入溝の底面同士の距離よりも長く設定される。
【００１８】
本発明の更に他の基板用コネクタにおいては、さらに、前記ガイドプレートの本体部は、前面に交互に並ぶ前側凸部及び前側凹部、並びに、後面に交互に並ぶ後側凸部及び後側凹部を備え、前記前側凸部と後側凹部とが対向し、前側凹部と後側凸部とが対向するように配列されている。  
【００１９】
本発明の更に他の基板用コネクタにおいては、さらに、前記端子は、基板用コネクタの幅方向に千鳥状となるように互いに隣接して配列される第１端子及び第２端子を含み、前記ガイドプレートのガイド溝は、前記第１端子の第１脚部を後方において保持する第１ガイド溝、及び、前記第２端子の第２脚部を後方において保持する第２ガイド溝を含む。
【発明の効果】
【００２０】
本発明によれば、基板用コネクタにおいては、ガイドプレートの本体部が蛇行状に形成され、ガイドプレートの両端部の位置関係が弾性的に変位可能となっている。これにより、ガイドプレートをハウジングに装着する際に、ガイドプレートの両端部をハウジングの両側に形成された凹部に容易に挿入することができる。また、ガイドプレートの両端部又は凹部に形成されたロック用突起を破損することがない。さらに、部材の寸法精度が低くても、ガイドプレートの本体部が備える弾性によって、装着されたガイドプレートにがたつきが発生せず、ガイドプレートが外れて離脱したりすることがなく、端子を確実にガイドすることができる。
【発明を実施するための最良の形態】
【００２１】
以下、本発明の実施の形態について図面を参照しながら詳細に説明する。
【００２２】
図１は本発明の実施の形態におけるコネクタを示す後面側の斜視図、図２は本発明の実施の形態におけるコネクタを示す前面側の斜視図、図３は本発明の実施の形態におけるコネクタとカードとの関係を示す図である。
【００２３】
図において、１は本実施の形態における基板用コネクタとしてのコネクタであり、図示されない電子機器等で使用される回路基板等の基板に実装される。そして、前記コネクタ１の上側挿入開口１３ａ及び下側挿入開口１３ｂにはカード１０１が挿入され、前記コネクタ１を介して、電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２４】
また、前記コネクタ１は、必ずしもカード１０１を挿入するためのコネクタに限定されるものではなく、例えば、断面円形の芯（しん）線を備えるケーブルの終端に接続された相手側コネクタを嵌合するコネクタであってもよいし、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等の平板状可撓（とう）性ケーブルを接続するためのコネクタであってもよいが、ここでは、カード１０１を挿入するためのコネクタであるものとして説明する。
【００２５】
なお、本実施の形態において、コネクタ１の各部の構成及び動作を説明するために使用される上、下、左、右、前、後等の方向を示す表現は、絶対的なものでなく相対的なものであり、コネクタ１が図に示される姿勢である場合に適切であるが、コネクタ１の姿勢が変化した場合には姿勢の変化に応じて変更して解釈されるべきものである。
【００２６】
そして、コネクタ１は、合成樹脂等の絶縁性材料によって一体的に形成された略矩（く）形の箱形のハウジング１１と、該ハウジング１１に取付けられた金属等の導電性材料から成る端子５０とを有する。さらに、前記コネクタ１は、ハウジング１１の周囲を囲むように取付けられた金属板から成るシェル６１を備える。図に示される例において、シェル６１は、カード１０１が挿入される側の面、すなわち、前面を除くすべてもしくは一部のハウジング１１の面を取囲み、下端から突出する取付用耳部６２、第１挿入突起６３及び第２挿入突起６４を介して、基板のグランド線に接続され、コネクタ１をシールドする。なお、図１において、１２はハウジング１１の底板２３から突出するハウジング取付用突起である。
【００２７】
また、前記ハウジング１１の内部は、隔壁部１５によって上下に分かれ、上側挿入開口１３ａ及び下側挿入開口１３ｂが形成されている。そして、前記上側挿入開口１３ａ及び下側挿入開口１３ｂの内部には、カード１０１の挿抜方向に延在する板状の上側延出部１４ａ及び下側延出部１４ｂが各々配設されている。なお、前記上側延出部１４ａ及び下側延出部１４ｂには、端子５０を収容するために、複数の上側端子収容孔（こう）１６ａ及び下側端子収容孔１６ｂが形成されている。また、上側挿入開口１３ａ及び下側挿入開口１３ｂの内部には、前記シェル６１に接続され、挿入されたカード１０１の下面に当接する金属板から成る上側舌片６５ａ及び下側舌片６５ｂが配設されている。
【００２８】
なお、前記コネクタ１は、いわゆるライトアングルタイプのコネクタであり、カード１０１の挿抜方向が基板に平行な状態で、すなわち、上側挿入開口１３ａ及び下側挿入開口１３ｂが横を向いて開口し、端子５０の下端部、シェル６１の第１挿入突起６３及び第２挿入突起６４が基板に垂直な状態で、該基板に形成されたスルーホール等の孔（あな）に挿入されてはんだ付されることによって実装される。
【００２９】
次に、前記ハウジング１１に取付けられた端子５０をガイドするための構造について説明する。
【００３０】
図４は本発明の実施の形態におけるコネクタのシェルを取外した状態を示す後面側の斜視図、図５は本発明の実施の形態におけるコネクタに取付けられる端子及びガイドプレートの分解斜視図、図６は本発明の実施の形態におけるガイドプレートの上面図である。なお、図４（ｂ）は図４（ａ）のＡ部の拡大図である。
【００３１】
本実施の形態において、端子５０は、上側挿入開口１３ａ内に配設される第１端子５１及び第２端子５２と、下側挿入開口１３ｂ内に配設される第３端子５３及び第４端子５４とを含んでいる。
【００３２】
前記第１端子５１は、基板と平行な方向、すなわち、上側延出部１４ａと平行な方向に延在し、上側端子収容孔１６ａ内に装填（てん）される本体部、該本体部の前端に接続され、相手側端子としてのカード１０１の図示されない電極と接触する第１接触部５１ａ、及び、前記本体部の後端にほぼ直角に屈曲して接続され、基板に向けて、すなわち、下方に向けて延出し、下端が基板のスルーホールに挿入される第１脚部５１ｂを備える。同様に、前記第２端子５２は、上側延出部１４ａと平行な方向に延在し、上側端子収容孔１６ａ内に装填される本体部、該本体部の前端に接続され、カード１０１の図示されない電極と接触する第２接触部５２ａ、及び、前記本体部の後端にほぼ直角に屈曲して接続され、下方に向けて延出し、下端が基板のスルーホールに挿入される第２脚部５２ｂを備える。
【００３３】
また、前記第３端子５３は、下側延出部１４ｂと平行な方向に延在し、下側端子収容孔１６ｂ内に装填される本体部、該本体部の前端に接続され、カード１０１の図示されない電極と接触する第３接触部５３ａ、及び、前記本体部の後端にほぼ直角に屈曲して接続され、下方に向けて延出し、下端が基板のスルーホールに挿入される第３脚部５３ｂを備える。同様に、前記第４端子５４は、下側延出部１４ｂと平行な方向に延在し、下側端子収容孔１６ｂ内に装填される本体部、該本体部の前端に接続され、カード１０１の図示されない電極と接触する第４接触部５４ａ、及び、前記本体部の後端にほぼ直角に屈曲して接続され、下方に向けて延出し、下端が基板のスルーホールに挿入される第４脚部５４ｂを備える。
【００３４】
図４に示されるように、ハウジング１１に取付けられた状態において、第１端子５１及び第２端子５２の本体部は第３端子５３及び第４端子５４の本体部の上方に位置し、かつ、第１端子５１及び第２端子５２の第１脚部５１ｂ及び第２脚部５２ｂは第３端子５３及び第４端子５４の第３脚部５３ｂ及び第４脚部５４ｂの後方に位置する。そのため、第１端子５１及び第２端子５２の本体部は第３端子５３及び第４端子５４の本体部より長く、第１端子５１及び第２端子５２の第１脚部５１ｂ及び第２脚部５２ｂは第３端子５３及び第４端子５４の第３脚部５３ｂ及び第４脚部５４ｂより長く形成されている。なお、第１端子５１と第２端子５２とは互いに同一の形状及び寸法を有し、また、第３端子５３と第４端子５４とは互いに同一の形状及び寸法を有している。
【００３５】
また、前記第１端子５１、第２端子５２、第３端子５３及び第４端子５４を統合的に説明する場合には端子５０として、前記第１接触部５１ａ、第２接触部５２ａ、第３接触部５３ａ及び第４接触部５４ａを統合的に説明する場合には接触部５０ａとして、第１脚部５１ｂ、第２脚部５２ｂ、第３脚部５３ｂ及び第４脚部５４ｂを統合的に説明する場合には脚部５０ｂとして説明する。
【００３６】
そして、前記ハウジング１１は、天板２１、底板２３及び前記天板２１と底板２３とを接続する両側の側板２２とを含む一体的に形成された箱形の部材であり、シェル６１を取外した状態では、カード１０１が挿入される側と反対側の面、すなわち、後面も開放されている。そのため、前記第１端子５１及び第２端子５２は、本体部をハウジング１１の後方から上側端子収容孔１６ａ内に挿入して装填することによって、ハウジング１１に取付けられる。また、前記第３端子５３及び第４端子５４も、本体部をハウジング１１の後方から下側端子収容孔１６ｂ内に挿入して装填することによって、ハウジング１１に取付けられる。
【００３７】
本実施の形態においては、底板２３の後端に第３端子５３及び第４端子５４の第３脚部５３ｂ及び第４脚部５４ｂをガイドするガイドプレートとしての前方ガイドプレート２４が一体的に接続されている。該前方ガイドプレート２４の後面には、前後方向（図６における上下方向）に延在する凹溝状のガイド溝２８が複数形成されている。
【００３８】
なお、該ガイド溝２８は、比較的浅く形成された溝であってより後方において第３脚部５３ｂを保持する第３ガイド溝２８Ｒと、比較的深く形成された溝であってより前方において第４脚部５４ｂを保持する第４ガイド溝２８Ｆとを含み、前記第３ガイド溝２８Ｒと第４ガイド溝２８Ｆとは、交互に並ぶように配列されている。これにより、端子と端子の間隔、すなわち、端子間ピッチを小さくすることができる。
【００３９】
なお、第３端子５３及び第４端子５４も前後方向の位置が等しいように配列されている場合、ガイド溝２８はすべて同一の深さとなるように形成されてもよい。
【００４０】
また、両側の側板２２の下部には、第１端子５１及び第２端子５２の第１脚部５１ｂ及び第２脚部５２ｂをガイドするガイドプレートとしての後方ガイドプレート４１を取付けるためのガイドプレート取付部２５が配設されている。該ガイドプレート取付部２５は、後方ガイドプレート４１の左右両端に形成された端部４３の外側端４３ａが挿入される挿入溝２６及び前記端部４３から外方に突出する被ロック部４４をロックするロック用突起２７を備える。なお、前記ガイドプレート取付部２５は側板２２の一部を肉厚にした部分であり、前記挿入溝２６及びロック用突起２７はガイドプレート取付部２５に一体的に形成されている。
【００４１】
ここで、前記後方ガイドプレート４１は、図６に示されるように、全体的に細長い部材であり、ハウジング１１と同様に、合成樹脂等の絶縁性材料によって一体的に形成されている。そして、中央に位置する本体部４２は、上からみて、Ｓ字状の部分を複数連接した形状、すなわち、蛇行状の形状を備える。また、本体部４２の両端に一体的に接続された端部４３は、略矩形の形状を備え、前記ガイドプレート取付部２５の挿入溝２６に挿入される外側端４３ａ、及び、外方に突出してガイドプレート取付部２５のロック用突起２７に係合してロックされる被ロック部４４を有する。
【００４２】
前記本体部４２の前面（図６における上側端縁）には、前側凸部４６Ｆ及び前側凹部４７Ｆが交互に並ぶように形成されている。また、前記本体部４２の後面（図６における下側端縁）には、後側凸部４６Ｒ及び後側凹部４７Ｒが交互に並ぶように形成されている。そして、前記本体部４２の前面と後面とにおいて、前側凸部４６Ｆと後側凹部４７Ｒとが対向し、前側凹部４７Ｆと後側凸部４６Ｒとが対向するように配列されている。すなわち、前側凸部４６Ｆに後側凹部４７Ｒが対応し、前側凹部４７Ｆに後側凸部４６Ｒが対応するような位置関係となっている。これにより、本体部４２は、上からみて、Ｓ字状の部分を複数連接した形状、すなわち、蛇行状の形状となるので、該形状によって発揮される弾性を有する。そして、本体部４２は、初期状態において、図６に示されるように、全体として直線的となっている、すなわち、左右方向に延在する図示されない中心軸が直線となっているが、その両端に外力を付与されると、弾性的に弓なりに変形し、中心軸が弧を描くような形状となることができる。
【００４３】
図４及び５を参照すると、両側のロック用突起２７が内方に突出し、かつ、両側の被ロック部４４が外方に突出しているので、後方ガイドプレート４１をガイドプレート取付部２５に取付ける際に、前記被ロック部４４が、ロック用突起２７と当接することによって、図６において下向きの力を受けるであろうことを理解することができる。このように、前記被ロック部４４が図６において下向きの力を受けると、本体部４２は、端部４３に接続された両端が図６の下方に変位、すなわち、後方ガイドプレート４１の本体部４２の後面（図６における下側端縁）は縮まり、本体部４２の前面（図６における上側端縁）は延びるように変形し、全体として上に凸の弧を描くような形状となるように弓なりに変形する。これにより、両側の被ロック部４４同士の距離が短縮されるように端部４３の位置関係が変位するので、被ロック部４４はロック用突起２７をスムーズに乗越えることができ、後方ガイドプレート４１をガイドプレート取付部２５に容易に取付けることができる。
【００４４】
また、前記本体部４２の後面には、前後方向（図６における上下方向）に延在する凹溝状のガイド溝４５が複数形成されている。該ガイド溝４５は、比較的浅く形成された溝であってより後方において第１脚部５１ｂを保持する第１ガイド溝４５Ｒと、比較的深く形成された溝であってより前方において第２脚部５２ｂを保持する第２ガイド溝４５Ｆとを含み、前記第１ガイド溝４５Ｒと第２ガイド溝４５Ｆとは、交互に並ぶように配列されている。これにより、端子と端子の間隔、すなわち、端子間ピッチを小さくすることができる。
【００４５】
図６に示される例において、第１ガイド溝４５Ｒは後側凸部４６Ｒに形成され、第２ガイド溝４５Ｆは後側凹部４７Ｒに形成されている。すなわち、第１ガイド溝４５Ｒ及び第２ガイド溝４５Ｆは、本体部４２の蛇行状の形状を利用して、千鳥状となるように配列されている。
【００４６】
なお、第１端子５１及び第２端子５２も前後方向の位置が等しいように配列されている場合、ガイド溝４５はすべて同一の深さとなるように形成されてもよい。
【００４７】
また、ガイド溝２８は、底部４９から後方ガイドプレート４１の前方縁または後方縁の方向に向かって拡開した形状、すなわち、テーパ状に広がった形状を有している。これにより、ガイド溝２８に端子５０の脚部５０ｂを確実に案内することができ、容易に実装することができる。
【００４８】
そして、第１脚部５１ｂ、第２脚部５２ｂ、第３脚部５３ｂ及び第４脚部５４ｂの下端は、基板に形成されたスルーホールに挿入され、はんだ付等の接続手段によって接続される。この場合、前方ガイドプレート２４及び後方ガイドプレート４１によって第１脚部５１ｂ、第２脚部５２ｂ、第３脚部５３ｂ及び第４脚部５４ｂがガイドされて整列させられているので、第１脚部５１ｂ、第２脚部５２ｂ、第３脚部５３ｂ及び第４脚部５４ｂの下端を対応するスルーホールに挿入する作業を容易に行うことができる。また、隣接する第１脚部５１ｂ、第２脚部５２ｂ、第３脚部５３ｂ及び第４脚部５４ｂ同士が接触して短絡が発生することもない。
【００４９】
次に、前記後方ガイドプレート４１をハウジング１１に取付ける動作について説明する。なお、ここでは、説明の都合上、シェル６１及び端子５０を省略して説明する。
【００５０】
図７は本発明の実施の形態における後方ガイドプレートが取付けられていないハウジングを示す後面側の斜視図、図８は本発明の実施の形態における後方ガイドプレートを取付ける直前のハウジングを示す後面側の斜視図、図９は本発明の実施の形態における後方ガイドプレートを取付ける直前のハウジングを示す側断面図、図１０は本発明の実施の形態における後方ガイドプレートを取付けたハウジングを示す後面側の斜視図、図１１は本発明の実施の形態における後方ガイドプレートを取付けたハウジングを示す側断面図である。なお、図７（ｂ）は図７（ａ）のＢ部の拡大図、図１０（ｂ）は図１０（ａ）のＤ部の拡大図である。
【００５１】
図７に示されるように、後方ガイドプレート４１が取付けられていない状態においては、ハウジング１１の両側のガイドプレート取付部２５に形成された挿入溝２６及びロック用突起２７が側板２２の下部の内側に露呈している。前記挿入溝２６の上下方向の寸法は、そこに挿入される後方ガイドプレート４１の端部４３における外側端４３ａの厚さ寸法に対応し、また、両側の挿入溝２６の底面２６ａ（図７（ｂ）における右側面）同士の距離は、両側の外側端４３ａ同士の距離に対応するように設定されている。また、両側のロック用突起２７の頂部２７ａ同士の距離は、後方ガイドプレート４１の両側の端部４３における被ロック部４４の頂部４４ａ同士の距離よりも短くなるように設定されている。
【００５２】
そして、後方ガイドプレート４１は、図８及び９に示されるように、ハウジング１１の後方から該ハウジング１１に向けて前方に移動させられ、両側のガイドプレート取付部２５に後方ガイドプレート４１の両側の端部４３が取付けられる。この場合、該端部４３の外側端４３ａは挿入溝２６に挿入され、被ロック部４４は、その頂部４４ａがロック用突起２７の頂部２７ａを乗越え、挿入溝２６とロック用突起２７との間に嵌入してロックされる。
【００５３】
ここで、後方ガイドプレート４１は、ハウジング１１に取付けられる前の状態、すなわち、初期状態において、本体部４２が全体として直線的となっている。しかし、ガイドプレート取付部２５に取付ける際に、被ロック部４４がロック用突起２７と当接することによって前記被ロック部４４が力を受けるので、本体部４２は、全体として、図８において矢印Ｃで示されるように、弧を描くような形状となるように弓なりに変形する。
【００５４】
これにより、両側の被ロック部４４同士の距離が短縮されるので、被ロック部４４の頂部４４ａがロック用突起２７の頂部２７ａをスムーズに乗越えることができ、後方ガイドプレート４１をガイドプレート取付部２５に容易に取付けることができる。また、被ロック部４４がロック用突起２７と当接することによって生じる力が、本体部４２が弾性的に変形することにより吸収されるので、被ロック部４４を含む端部４３やロック用突起２７を含むガイドプレート取付部２５が摩滅したり破損したりすることがない。
【００５５】
そして、後方ガイドプレート４１は、図１０及び１１に示されるように、ハウジング１１のガイドプレート取付部２５に取付けられる。なお、初期状態における後方ガイドプレート４１の両側の外側端４３ａ同士の距離を、両側の挿入溝２６の底面２６ａ同士の距離よりもわずかに長く設定しておくと、ガイドプレート取付部２５に取付けられた状態において、後方ガイドプレート４１は、両側のガイドプレート取付部２５によって、長手方向、すなわち、ハウジング１１の幅方向に圧縮される方向の力を受ける。すると、本体部４２の両側の端部４３がガイドプレート取付部２５に押圧される。これにより、後方ガイドプレート４１は、がたつくことなくハウジング１１に取付けられた状態となる。また、被ロック部４４が挿入溝２６とロック用突起２７との間に押圧された状態となるので、被ロック部４４とロック用突起２７との係合状態が確実なものとなり、係合が解除されることがない。したがって、後方ガイドプレート４１は、ハウジング１１に確実にロックされ、ハウジング１１から外れて離脱してしまうことがない。
【００５６】
次に、前記後方ガイドプレート４１と第３端子５３及び第４端子５４との位置関係について説明する。なお、ここでは、説明の都合上、シェル６１並びに第１端子５１及び第２端子５２を省略して説明する。
【００５７】
図１２は本発明の実施の形態における後方ガイドプレートを取付ける直前の第３端子及び第４端子を備えるハウジングを示す後面側の斜視図、図１３は本発明の実施の形態における後方ガイドプレートを取付けた第３端子及び第４端子を備えるハウジングを示す後面側の斜視図である。
【００５８】
図１２に示されるように、ハウジング１１に取付けられた第３端子５３及び第４端子５４の第３脚部５３ｂ及び第４脚部５４ｂは、前方ガイドプレート２４の第３ガイド溝２８Ｒ及び第４ガイド溝２８Ｆ内に保持されてガイドされている。この場合、第３脚部５３ｂ及び第４脚部５４ｂは、コネクタ１の幅方向に千鳥状となるように配列され、第３脚部５３ｂがより後方に位置するように配列されている。ところで、図１０及び１１に示されるように、後方ガイドプレート４１は、ハウジング１１に取付けられた状態において、前方ガイドプレート２４に近接した位置にあるので、特に、後方に位置するように配列された第３端子５３の第３脚部５３ｂと干渉する可能性がある。
【００５９】
そこで、本実施の形態においては、後方ガイドプレート４１の本体部４２の前面に形成される前側凹部４７Ｆの位置及び大きさを第３端子５３の第３脚部５３ｂに対応させている。すなわち、該第３端子５３の第３脚部５３ｂの各々が前側凹部４７Ｆの各々に入込むことができるように、該前側凹部４７Ｆの位置及び大きさが設定されている。これにより、図１３に示されるように、後方ガイドプレート４１をハウジング１１に取付けた状態では、各第３脚部５３ｂが各前側凹部４７Ｆに入込むので、第３脚部５３ｂと後方ガイドプレート４１とが干渉することがない。
【００６０】
なお、後方ガイドプレート４１が前方ガイドプレート２４に近接しない場合、すなわち、前後方向に関して後方ガイドプレート４１と前方ガイドプレート２４との距離が離れるようにハウジング１１に取付けられる場合には、第３脚部５３ｂと後方ガイドプレート４１とが干渉する可能性がないので、前側凹部４７Ｆの位置及び大きさを第３脚部５３ｂに対応させる必要がない。
【００６１】
次に、前記後方ガイドプレート４１と第１端子５１及び第２端子５２との位置関係について説明する。なお、ここでは、説明の都合上、シェル６１並びに第３端子５３及び第４端子５４を省略して説明する。
【００６２】
図１４は本発明の実施の形態における後方ガイドプレート並びに第１端子及び第２端子を取付ける直前のハウジングを示す後面側の斜視図、図１５は本発明の実施の形態における第１端子及び第２端子を取付ける直前のハウジングを示す側断面図、図１６は本発明の実施の形態における後方ガイドプレート並びに第１端子及び第２端子を取付けたハウジングを示す後面側の斜視図、図１７は本発明の実施の形態における後方ガイドプレート並びに第１端子及び第２端子を取付けたハウジングを示す側断面図である。
【００６３】
図１４に示されるように、後方ガイドプレート４１は、ハウジング１１の後方から該ハウジング１１に向けて前方に移動させられ、両側のガイドプレート取付部２５に後方ガイドプレート４１の両側の端部４３が取付けられる。この場合、該端部４３の外側端４３ａは挿入溝２６に挿入され、被ロック部４４は、その頂部４４ａがロック用突起２７の頂部２７ａを乗越え、挿入溝２６とロック用突起２７との間に嵌入してロックされる。これにより、後方ガイドプレート４１は、図１５に示されるように、ハウジング１１のガイドプレート取付部２５に取付けられる。
【００６４】
次に、第１端子５１及び第２端子５２は、ハウジング１１の後方から該ハウジング１１に向けて移動させられ、第１端子５１及び第２端子５２の本体部を上側端子収容孔１６ａ内に挿入して装填することによって、ハウジング１１に取付けられる。また、前記第１端子５１及び第２端子５２の第１脚部５１ｂ及び第２脚部５２ｂは、後方ガイドプレート４１の第１ガイド溝４５Ｒ及び第２ガイド溝４５Ｆ内に挿入されて保持される。前述のように、前記第１ガイド溝４５Ｒ及び第２ガイド溝４５Ｆは、コネクタ１の幅方向に千鳥状となるように配列されているので、コネクタ１の幅方向に千鳥状となるように配列されている第１脚部５１ｂ及び第２脚部５２ｂの位置と適合する。これにより、図１６及び１７に示されるように、前記第１端子５１及び第２端子５２の第１脚部５１ｂ及び第２脚部５２ｂは、各々、後方ガイドプレート４１の第１ガイド溝４５Ｒと第２ガイド溝４５Ｆに保持されてガイドされる。
【００６５】
ところで、第１端子５１及び第２端子５２がハウジング１１に取付けられた状態において、第１端子５１及び第２端子５２の本体部と第１脚部５１ｂ及び第２脚部５２ｂとの角度は、図１７に示されるように、ほぼ９０度となっているが、初期状態、すなわち、第１端子５１及び第２端子５２がハウジング１１に取付けられる前の状態においては、本体部と第１脚部５１ｂ及び第２脚部５２ｂとの角度は、より小さな角度、すなわち、鋭角となるように設定されていることが望ましい。このように設定すると、第１端子５１及び第２端子５２がハウジング１１に取付けられたときに、第１端子５１及び第２端子５２が弾性的に変形し、本体部と第１脚部５１ｂ及び第２脚部５２ｂとの角度が後方ガイドプレート４１によって押広げられた状態になる。そして、ばねとしての付勢力が発生し、該付勢力によって第１脚部５１ｂ及び第２脚部５２ｂが後方ガイドプレート４１の第１ガイド溝４５Ｒ及び第２ガイド溝４５Ｆに押圧され、弾性変形し、ほぼ９０度になる。これにより、第１脚部５１ｂ及び第２脚部５２ｂは、がたつくことなく後方ガイドプレート４１に取付けられた状態となる。
【００６６】
さらに、第１脚部５１ｂ及び第２脚部５２ｂは、常に、第１ガイド溝４５Ｒ及び第２ガイド溝４５Ｆの底部４９へ軽い力で押圧された状態となるので、第１脚部５１ｂ及び第２脚部５２ｂの位置は、第１ガイド溝４５Ｒ及び第２ガイド溝４５Ｆの底部４９の位置で保持される。これにより、後方ガイドプレート４１の第１ガイド溝４５Ｒ及び第２ガイド溝４５Ｆの底部４９の位置によって、第１脚部５１ｂ及び第２脚部５２ｂを正確に位置決めすることができ、コネクタ１を基板のスルーホールに対して、容易に、かつ、正確な位置に実装することができる。
【００６７】
なお、第３端子５３及び第４端子５４も、同様に、初期状態においては、本体部と第３脚部５３ｂ及び第４脚部５４ｂとの角度が鋭角となるように設定されていることが望ましい。これにより、第３脚部５３ｂ及び第４脚部５４ｂは、がたつくことなく前方ガイドプレート２４に取付けられた状態となる。
【００６８】
なお、初期状態における本体部と脚部５０ｂとの角度は鋭角に限定されるものではなく、後方ガイドプレート４１を実装しない状態で、端子５０をハウジング１１に装着したときの脚部５０ｂの位置よりも、ガイド溝４５の底部４９の位置の方が、後方（図１７における右方向）に形成されていれば、脚部５０ｂがガイド溝４５に凹圧された状態を得ることが可能である。
【００６９】
このように、本実施の形態において、後方ガイドプレート４１は、蛇行状の形状を備える本体部４２、及び、該本体部４２の両側に接続され、ハウジング１１の両側に配設されたガイドプレート取付部２５に取付けられる端部４３を備える。このように、後方ガイドプレート４１の本体部４２が蛇行状の形状を備えるので、後方ガイドプレート４１の両側の端部４３の位置関係が弾性的に変位可能となっている。したがって、後方ガイドプレート４１をハウジング１１に装着する際に、後方ガイドプレート４１の端部４３をハウジング１１の両側のガイドプレート取付部２５に容易に取付けることができる。
【００７０】
また、該ガイドプレート取付部２５は、挿入溝２６及びロック用突起２７を備え、後方ガイドプレート４１の端部４３は、挿入溝２６に挿入される外側端４３ａ、及び、前記端部４３から外方に突出し、ロック用突起２７によってロックされる被ロック部４４を備える。これにより、後方ガイドプレート４１を装着する際に、該後方ガイドプレート４１の外側端４３ａを挿入溝２６に容易に挿入することができる。また、被ロック部４４又はロック用突起２７を破損することがない。
【００７１】
なお、本実施の形態においては、前方ガイドプレート２４がハウジング１１に一体的に接続されている場合についてのみ説明したが、前方ガイドプレート２４は、後方ガイドプレート４１と同様に、ハウジング１１と別個に形成され、ハウジング１１に取付けられる部材であってもよい。
【００７２】
また、本発明は前記実施の形態に限定されるものではなく、本発明の趣旨に基づいて種々変形させることが可能であり、それらを本発明の範囲から排除するものではない。
【図面の簡単な説明】
【００７３】
【図１】本発明の実施の形態におけるコネクタを示す後面側の斜視図である。
【図２】本発明の実施の形態におけるコネクタを示す前面側の斜視図である。
【図３】本発明の実施の形態におけるコネクタとカードとの関係を示す図である。
【図４】本発明の実施の形態におけるコネクタのシェルを取外した状態を示す後面側の斜視図である。
【図５】本発明の実施の形態におけるコネクタに取付けられる端子及びガイドプレートの分解斜視図である。
【図６】本発明の実施の形態におけるガイドプレートの上面図である。
【図７】本発明の実施の形態における後方ガイドプレートが取付けられていないハウジングを示す後面側の斜視図である。
【図８】本発明の実施の形態における後方ガイドプレートを取付ける直前のハウジングを示す後面側の斜視図である。
【図９】本発明の実施の形態における後方ガイドプレートを取付ける直前のハウジングを示す側断面図である。
【図１０】本発明の実施の形態における後方ガイドプレートを取付けたハウジングを示す後面側の斜視図である。
【図１１】本発明の実施の形態における後方ガイドプレートを取付けたハウジングを示す側断面図である。
【図１２】本発明の実施の形態における後方ガイドプレートを取付ける直前の第３端子及び第４端子を備えるハウジングを示す後面側の斜視図である。
【図１３】本発明の実施の形態における後方ガイドプレートを取付けた第３端子及び第４端子を備えるハウジングを示す後面側の斜視図である。
【図１４】本発明の実施の形態における後方ガイドプレート並びに第１端子及び第２端子を取付ける直前のハウジングを示す後面側の斜視図である。
【図１５】本発明の実施の形態における第１端子及び第２端子を取付ける直前のハウジングを示す側断面図である。
【図１６】本発明の実施の形態における後方ガイドプレート並びに第１端子及び第２端子を取付けたハウジングを示す後面側の斜視図である。
【図１７】本発明の実施の形態における後方ガイドプレート並びに第１端子及び第２端子を取付けたハウジングを示す側断面図である。
【図１８】従来の基板用コネクタの分解図である。
【符号の説明】
【００７４】
１    コネクタ
１１    ハウジング
１２    ハウジング取付用突起
１３ａ    上側挿入開口
１３ｂ    下側挿入開口
１４ａ    上側延出部
１４ｂ    下側延出部
１５    隔壁部
１６ａ    上側端子収容孔
１６ｂ    下側端子収容孔
２１    天板
２２    側板
２３    底板
２４    前方ガイドプレート
２５    ガイドプレート取付部
２６    挿入溝
２６ａ    底面
２７    ロック用突起
２７ａ    頂部
２８Ｒ    第３ガイド溝
２８Ｆ    第４ガイド溝
４１    後方ガイドプレート
４２    本体部
４３    端部
４３ａ    外側端
４４    被ロック部
４４ａ    頂部
４５Ｒ    第１ガイド溝
４５Ｆ    第２ガイド溝
４６Ｆ    前側凸部
４６Ｒ    後側凸部
４７Ｆ    前側凹部
４７Ｒ    後側凹部
４９    底部
５０    端子
５０ａ    接触部
５０ｂ    脚部
５１、８０１    第１端子
５１ａ    第１接触部
５１ｂ    第１脚部
５２、８０２    第２端子
５２ａ    第２接触部
５２ｂ    第２脚部
５３    第３端子
５３ａ    第３接触部
５３ｂ    第３脚部
５４    第４端子
５４ａ    第４接触部
５４ｂ    第４脚部
６１    シェル
６２    取付用耳部
６３    第１挿入突起
６４    第２挿入突起
６５ａ    上側舌片
６５ｂ    下側舌片
１０１    カード
８０３    端子保持部材
８０４    取付部
８０５    延出部
８１１    第１端子挿入口
８１２    第２端子挿入口
８１５    ガイドプレート
８１６    位置決め溝
８１７    第１案内溝
８１８    第２案内溝
【図１】
2008117591.tif 000003
【図２】
2008117591.tif 000004
【図３】
2008117591.tif 000005
【図４】
2008117591.tif 000006
【図５】
2008117591.tif 000007
【図６】
2008117591.tif 000008
【図７】
2008117591.tif 000009
【図８】
2008117591.tif 000010
【図９】
2008117591.tif 000011
【図１０】
2008117591.tif 000012
【図１１】
2008117591.tif 000013
【図１２】
2008117591.tif 000014
【図１３】
2008117591.tif 000015
【図１４】
2008117591.tif 000016
【図１５】
2008117591.tif 000017
【図１６】
2008117591.tif 000018
【図１７】
2008117591.tif 000019
【図１８】
2008117591.tif 000020